(57)【要約】【課題】フレネル反射特性の影響により生じる反射角のずれ及び反射光の出力の変動による誤差を補正することで、光学特性値を正確に測定できる光学特性測定装置および光学特性測定方法を提供する。【解決手段】光学特性測定装置１は、測定試料ＳＭに光を照射する光照射部１１と、光照射部１１から照射された光が測定試料で反射された反射光を受光する複数の受光素子を有する受光部２１と、受光部２１の出力に基づいて光学特性を導出する光学特性演算部とを備え、光学特性演算部は、受光部２１の出力をフレネル反射特性に基づいて補正した補正出力を求め、補正出力に基づいて光学特性を導出する。【選択図】図１
2009156789.tif 000002
【特許請求の範囲】
【請求項１】
測定試料に光を照射する光照射部と、前記光照射部から照射された光が前記測定試料で反射された反射光を受光する複数の受光素子を有する受光部と、前記受光部の出力に基づいて光学特性を導出する光学特性演算部とを備える光学特性測定装置であって、
前記光学特性演算部は、前記受光部の出力をフレネル反射特性に基づいて補正した補正出力を求め、前記補正出力に基づいて前記光学特性を導出することを特徴とする光学特性測定装置。
【請求項２】
前記光学特性演算部は、前記補正出力を求める際に、前記各受光素子が受光した前記反射光と前記測定試料表面の法線とのなす角度によるフレネル反射率の逆数を、当該各受光素子の出力に乗じる請求項１に記載の光学特性測定装置。
【請求項３】
前記光学特性演算部は、前記測定試料表面の法線と前記反射光とのなす角度が正規角度である場合のフレネル反射率を、前記各受光素子が受光した前記反射光と前記測定試料表面の法線とのなす角度によるフレネル反射率で除した値に、当該各受光素子の出力を乗じることで、前記補正出力を求める請求項１に記載の光学特性測定装置。
【請求項４】
前記光学特性演算部は、フレネル反射特性を表す成分を含む分布関数により、前記受光部の出力の分布を近似した結果を用いて、前記補正出力を求める請求項１に記載の光学特性測定装置。
【請求項５】
前記分布関数は、前記測定試料表面と測定基準面との角度ずれ量を、パラメータとして含む請求項４に記載の光学特性測定装置。
【請求項６】
前記光学特性演算部は、前記各受光素子の出力と、前記分布関数を当該各受光素子に対応する積分区間において積分した積分値との差が最小となるように、前記分布関数を決定し、
前記決定した分布関数における前記角度ずれ量を０として、前記補正出力を示す補正分布関数を求め、
前記補正分布関数を、所定の積分区間において積分することで、前記光学特性を導出する請求項５に記載の光学特性測定装置。
【請求項７】
前記フレネル反射特性は、前記測定試料に対応する屈折率を用いて算出される請求項１に記載の光学特性測定装置。
【請求項８】
前記光学特性演算部は、前記受光部の出力に基づいて前記屈折率を推定する請求項７に記載の光学特性測定装置。
【請求項９】
さらに、屈折率入力部を備え、前記屈折率は、前記屈折率入力部により入力された屈折率である請求項７に記載の光学特性測定装置。
【請求項１０】
前記分布関数は、前記測定試料の屈折率をパラメータとして含み、
前記光学特性演算部は、前記受光部の出力の分布を前記分布関数により近似する際に、前記測定試料の屈折率を最適化する請求項４に記載の光学特性測定装置。
【請求項１１】
前記光学特性演算部は、前記補正出力のうち所定の切取り範囲における補正出力に基づいて、前記光学特性を導出する請求項１に記載の光学特性測定装置。
【請求項１２】
前記切取り範囲は、前記受光部の出力のうち最大強度となる箇所の近傍とする請求項１１に記載の光学特性測定装置。
【請求項１３】
測定試料に光を照射して、照射された光が前記測定試料で反射された反射光の出力に基づいて光学特性を導出する光学特性測定方法であって、
前記反射光の出力をフレネル反射特性に基づいて補正した補正出力を求め、前記補正出力に基づいて光学特性を導出することを特徴とする光学特性測定方法。
【発明の詳細な説明】
【技術分野】
【０００１】
本発明は、測定試料の光学特性、好ましくは光学的表面特性、さらに好ましくは光沢度を測定する光学特性測定装置および光学特性測定方法に関する。
【背景技術】
【０００２】
従来、測定試料の光学特性、例えば試料表面の光沢度などの光学的表面特性を測定する光学特性測定装置が知られている。
【０００３】
図９は、背景技術における光学特性測定装置の光学的な構成を示す図である。図１０は、背景技術における光学特性測定装置の補正方法を説明する図であって、図１０（Ａ）は正規姿勢での受光部に形成された像を示す図であり、図１０（Ｂ）は正規姿勢でなく傾いた状態での受光部に形成された像を示す図であり、図１０（Ｃ）は切取りエリアが像を追従している状態を示す図である。
【０００４】
図９において、背景技術における光学特性測定装置１００は、照明側光学系１１０と受光側光学系１２０とを備えて構成される。照明側光学系１１０は、その光軸１１３ａが測定試料ＳＭの試料表面ＳＭａにおける或る点を通る試料表面ＳＭａの法線Ｇに対して角度θ３をなし、受光側光学系１２０は、その光軸１２２ａが法線Ｇに対して角度θ４をなす。具体的には、角度θ３は入射角であり、角度θ４は反射角である。一般的には、角度θ３および角度θ４は同一の値であり、ＡＳＴＭＤ５２３やＪＩＳＺ８７４１に基づいて規格が決まっており、例えば共に所定の角度である６０度となるように、光学特性測定装置１００の各部品が配置されている。このように、試料表面ＳＭａに対して、照射された光が入射角（角度θ３）および反射角（角度θ４）がともに所定の角度である場合は理想的な測定が可能である。測定試料ＳＭが光学特性装置１００に対して、このような配置であることを正規姿勢という。
【０００５】
照明側光学系１１０は、光源部１１１と、照明側開口板１１２と、照明レンズ１１３とを備えて構成される。照明側開口板１１２には、照明側開口１１２ａが照明側開口板１１２を貫通するように穿設されている。
【０００６】
受光側光学系１２０は、受光部１２１と、受光レンズ１２２とを備えて構成される。受光部１２１は、複数の受光素子（画素）を備えている。これらは、例えばＣＣＤ（Charge-Coupled Devices）などの撮像素子である。
【０００７】
光源部１１１から射出された光は、照明側開口板１１２の照明側開口１１２ａによって所定の開き角に規制され、照明レンズ１１３によって光軸１１３ａに略平行な平行光束１１１ａとされ、試料表面ＳＭａに照射される。そして、試料表面ＳＭａによって反射された反射光における略正反射方向の成分１２１ａの光は、受光レンズ１２２によって収束され、受光部１２１で受光される。そして、受光部１２１の出力に基づいて例えば試料表面ＳＭａの光沢度などの光学特性値が求められる。
【０００８】
しかし、測定試料ＳＭの測定箇所が平坦でなかった場合などに、試料表面ＳＭａが光学特性測定装置１００に対して傾く可能性がある。すなわち、正規姿勢でなくなる可能性がある。そうすると、角度θ３が所定の角度から変化することになり、同様に角度θ４も変化する。その結果、受光部１２１に形成される像の位置が、正規姿勢の場合の受光部１２１に形成される像の位置とは異なってしまう。このため、正しい光学特性値の測定ができなくなる。
【０００９】
具体的には、図１０（Ａ）に示すように、受光部１２１では、一定の範囲である切取りエリア１３０の枠が設定されており、この範囲内での受光出力を読み取っている。したがって、反射光による受光部１２１に形成された像１２１ｂの位置は、切取りエリア１３０内になければならない。かりに、正規姿勢でなく、試料表面ＳＭａが光学特性測定装置１００に対して傾くと、角度θ３が所定の角度から変化し、合わせて角度θ４も変化する。それにより、図１０（Ｂ）に示すように、受光部１２１における像１２１ｂの位置が変化し、切取りエリア１３０の外部に像１２１ｂの一部または全部が形成される可能性がある。この場合は、切取りエリア１３０内で読み取った受光出力は、像１２１ｂ全体の出力に比べて低下してしまう。そのため、切取りエリア１３０内で読み取った受光出力を用いるだけでは、測定試料ＳＭの正しい光学特性値を得ることはできない。
【００１０】
そこで、例えば、特許文献１に記載の光学特性測定装置では、切取りエリア１３０が像１２１ｂを追従して移動する。具体的には、図１０（Ｃ）に示すように、正規姿勢から傾いている場合の像１２１ｂをすべて含むように、切取りエリア１３０が配置されている。像１２１ｂの位置が変動した場合であっても、切取りエリア１３０が像１２１ｂを追従して移動する。例えば、受光部１２１内の受光出力の最大強度に追従して、切取りエリア１３０の位置が決定されることとされている。このようにすることで、像１２１ｂは切取りエリア１３０の範囲内にすべて形成されることになり、像１２１ｂ全体の出力に基づいて光学特性値を得ることができる。
【特許文献１】特開２００６−２０８３６１号公報
【発明の開示】
【発明が解決しようとする課題】
【００１１】
しかし、特許文献１に記載の光学特性測定装置には、以下に示す２つの問題がある。具体的には、フレネル反射特性に起因する問題である。ここで、フレネル反射特性とは、光が或る物質に照射されて反射する場合に、その反射角に応じて反射率が変化する特性をいう。
【００１２】
まず、第１の問題について説明する。光が或る物質に照射されて反射したときに、理論的には入射角と反射角は等しい。光が反射する物質すなわち測定試料ＳＭが比較的高光沢の場合には、反射光が反射角θ４に集中して分布するのでフレネル反射特性の影響を受けにくく、強度分布のピークはほぼθ４に等しくなる。しかし、測定試料ＳＭが比較的低光沢の場合は、反射光の分布はθ４を中心に分散するので、結果としてフレネル反射特性の影響を受けて、強度分布のピークがθ４からずれることになる。例えば、測定試料ＳＭとして光沢値が５．７ＧＵの塗板や、光沢値が８．６ＧＵのガラスの場合は、角度θ３が６０度で光が照射されても、強度分布のピークは６２〜６５度付近となる。
【００１３】
これは、低光沢材料の表面が粗いため、光の正反射成分がさまざまな方向に散乱しやすくなること及び屈折率が１．５のガラスにおいて反射角が６０度付近の場合、フレネル反射特性により、反射角が大きくなるほど反射率が高くなることに起因する。このため、正規姿勢で光学特性測定がなされているにもかかわらず、試料表面ＳＭａが光学特性測定装置１００に対して傾いている場合と同様に、受光部１２１内の受光出力の最大強度の位置が移動する。この場合、特許文献１に記載の光学特性測定装置では、切取りエリア１３０が受光出力の最大強度の位置に追従して移動する。しかし、実際には正規姿勢であるのだから切取りエリア１３０の位置を移動する必要はなく、移動したために上述の規格に基づいた測定ではなくなり、正確な測定ができないという問題があった。
【００１４】
次に、第２の問題について説明する。上述したように、反射角が６０度付近においては、フレネル反射特性により、反射角が大きくなるほど、反射率が高くなる。そうすると、例えば、測定試料ＳＭの測定箇所が平坦でないなどの理由によって、試料表面ＳＭａが光学特性測定装置１００に対して傾き、正規姿勢でなくなった場合には、反射率が変化するために受光部１２１での受光出力も変動する。したがって、正規姿勢でなくなった場合には、切取りエリア１３０が像１２１ｂを追従したとしても、出力が変動しているため、正確な出力の測定はできないという問題があった。
【００１５】
本発明は、上述の事情に鑑みて為された発明であり、その目的は、フレネル反射特性の影響により生じる誤差を補正することで、光学特性値を正確に測定できる光学特性測定装置および光学特性測定方法を提供することである。
【課題を解決するための手段】
【００１６】
本発明者は、種々検討した結果、上記目的は、以下の本発明により達成されることを見出した。すなわち、本発明の一態様に係る光学特性測定装置は、測定試料に光を照射する光照射部と、前記光照射部から照射された光が前記測定試料で反射された反射光を受光する複数の受光素子を有する受光部と、前記受光部の出力に基づいて光学特性を導出する光学特性演算部とを備える光学特性測定装置であって、前記光学特性演算部は、前記受光部の出力をフレネル反射特性に基づいて補正した補正出力を求め、前記補正出力に基づいて前記光学特性を導出する。
【００１７】
これにより、フレネル反射特性の影響により生じる誤差を補正することで、光学特性値を正確に測定できる。なお、フレネル反射特性の影響により生じる誤差とは、具体的には、反射角のずれ及び反射光の出力の変動などである。
【００１８】
また、上述の光学特性測定装置において、前記光学特性演算部は、前記補正出力を求める際に、前記各受光素子が受光した前記反射光と前記測定試料表面の法線とのなす角度によるフレネル反射率の逆数を、当該各受光素子の出力に乗じることが好ましい。
【００１９】
これにより、フレネル反射特性に基づいた補正を容易に実現でき、光学特性値を正確に測定できる。
【００２０】
また、上述の光学特性測定装置において、前記光学特性演算部は、前記測定試料表面の法線と前記反射光とのなす角度が正規角度である場合のフレネル反射率を、前記各受光素子が受光した前記反射光と前記測定試料表面の法線とのなす角度によるフレネル反射率で除した値に、当該各受光素子の出力を乗じることで、前記補正出力を求めることが好ましい。
【００２１】
これにより、フレネル反射特性に基づいた補正を容易に実現でき、光学特性値を正確に測定できる。
【００２２】
また、上述の光学特性測定装置において、前記光学特性演算部は、フレネル反射特性を表す成分を含む分布関数により、前記受光部の出力の分布を近似した結果を用いて、前記補正出力を求めることが好ましい。
【００２３】
これにより、フレネル反射特性に基づいた補正を容易に実現でき、光学特性値を正確に測定できる。
【００２４】
また、上述の光学特性測定装置において、前記分布関数は、前記測定試料表面と測定基準面との角度ずれ量を、パラメータとして含むことが好ましい。
【００２５】
これにより、角度ずれ量を正確に求めることができ、光学特性値をより正確に測定できる。
【００２６】
また、上述の光学特性測定装置において、前記光学特性演算部は、前記各受光素子の出力と、前記分布関数を当該各受光素子に対応する積分区間において積分した積分値との差が最小となるように、前記分布関数を決定し、前記決定した分布関数における前記角度ずれ量を０として、前記補正出力を示す補正分布関数を求め、前記補正分布関数を、所定の積分区間において積分することで、前記光学特性を導出することとが好ましい。
【００２７】
これにより、反射光の出力の変動を補正することができ、光学特性値をより正確に測定できる。
【００２８】
また、上述の光学特性測定装置において、前記フレネル反射特性は、前記測定試料に対応する屈折率を用いて算出されることが好ましい。
【００２９】
これにより、より正確なフレネル反射特性を得ることができ、正確な光学特性測定が可能である。
【００３０】
また、上述の光学特性測定装置において、前記光学特性演算部は、前記受光部の出力に基づいて前記屈折率を推定することが好ましい。
【００３１】
これにより、測定試料の屈折率が不明の場合であっても、フレネル反射特性を用いた補正ができ、正確な光学特性測定が可能である。
【００３２】
また、上述の光学特性測定装置において、さらに、屈折率入力部を備え、前記屈折率は、前記屈折率入力部により入力された屈折率であることが好ましい。
【００３３】
これにより、測定試料の正確な屈折率がわかるため、より正確にフレネル反射特性を用いた補正ができ、正確な光学特性測定が可能である。
【００３４】
また、上述の光学特性測定装置において、前記分布関数は、前記測定試料の屈折率をパラメータとして含み、前記光学特性演算部は、前記受光部の出力の分布を前記分布関数により近似する際に、前記測定試料の屈折率を最適化することが好ましい。
【００３５】
これにより、分布関数による近似をする際に屈折率を求めることができ、容易に補正を行うことができる。
【００３６】
また、上述の光学特性測定装置において、前記光学特性演算部は、前記補正出力のうち所定の切取り範囲における補正出力に基づいて、前記光学特性を導出することが好ましい。
【００３７】
これにより、最適な補正値を得ることができる。
【００３８】
また、上述の光学特性測定装置において、前記切取り範囲は、前記受光部の出力のうち最大強度となる箇所の近傍とすることが好ましい。
【００３９】
これにより、最適な補正値を得ることができる。
【００４０】
また、本発明の他の一態様に係る光学特性測定方法は、測定試料に光を照射して、照射された光が前記測定試料で反射された反射光の出力に基づいて光学特性を導出する光学特性測定方法であって、前記反射光の出力をフレネル反射特性に基づいて補正した補正出力を求め、前記補正出力に基づいて光学特性を導出する。
【００４１】
これにより、フレネル反射特性の影響により生じる誤差を補正することができ、光学特性値を正確に測定できる。なお、フレネル反射特性の影響により生じる誤差とは、具体的には、強度分布のピーク位置ずれ及び反射光の出力の変動などである。
【発明の効果】
【００４２】
本発明に係る光学特性測定装置および光学特性測定方法によれば、フレネル反射特性の影響により生じる誤差を補正することで、光学特性値を正確に測定することが可能である。
【発明を実施するための最良の形態】
【００４３】
以下、本発明に係る実施の一形態を図面に基づいて説明する。なお、各図において同一の符号を付した構成は、同一の構成であることを示し、その説明を省略する。
【００４４】
まず、本発明で用いるフレネル反射率について説明する。光が界面で反射される場合に、界面での振幅反射率を与える式をフレネル係数という。フレネル係数は、斜め入射の場合にはｐ波およびｓ波において異なる値となる。なお、光の成分のうちベクトルが入射面内で振動するものをｐ波といい、光の成分のうちベクトルが入射面に垂直に振動するものをｓ波という。屈折率がｎ１の物質から屈折率がｎ２の物質に光が入射するときのｐ波およびｓ波に対するフレネル係数ｒｐおよびｒｓは、それぞれ以下に示される式（１−１）および式（１−２）で表される。ただし、入射角はαであり、屈折角はβである。ここで、入射角とは界面の法線と入射光とがなす角をいい、屈折角とは界面の法線と屈折光とがなす角をいう。
【００４５】
【数１】
2009156789.tif 000003
【００４６】
さらに、光強度についてのｐ波の反射率Ｒｐおよびｓ波の反射率Ｒｓは、それぞれ以下に示される式（２−１）および式（２−２）で表される。
【００４７】
【数２】
2009156789.tif 000004
【００４８】
本明細書においては、ｐ波とｓ波はそれぞれ半分ずつであると考えて、フレネル反射率Ｒは、以下に示す式（３）を用いる。
【００４９】
【数３】
2009156789.tif 000005
【００５０】
図１は、実施形態の光学特性測定装置における光学系の構成を示す図である。図２は、実施形態の光学特性測定装置における開口板の構成を示す図である。図３は、実施形態の光学特性測定装置における受光部の構成を示す図である。図４は、実施形態の光学特性測定装置における電気的な構成を示す図である。
【００５１】
まず、本発明に係る実施の一形態における光学特性測定装置１の光学的な構成について説明する。図１ないし図３において、光学特性測定装置１は、測定試料ＳＭの試料表面ＳＭａにおける所定領域に光を照射する照明側光学系（光照射部）１０と、前記所定領域からの反射光を受光する受光側光学系２０とを備えて構成される。
【００５２】
照明側光学系１０および受光側光学系２０は、測定試料ＳＭの試料表面ＳＭａにおける或る点を通る試料表面ＳＭａの法線Ｇに対して互いに反対側の領域に配設される。照明側光学系１０は、その光軸１３ａが測定試料ＳＭの試料表面ＳＭａにおける或る点を通る試料表面ＳＭａの法線Ｇに対して角度θ１をなし、受光側光学系２０は、その光軸２２ａが法線Ｇに対して角度θ２をなす。具体的には、角度θ１は入射角であり、角度θ２は反射角である。一般的には、角度θ１および角度θ２は同一の値である。
【００５３】
角度θ１および角度θ２は任意の角度でよいが、測定試料ＳＭが光学特性測定装置１に対して正規姿勢である場合において、角度θ１および角度θ２は、例えばＩＳＯやＪＩＳなどによって規格化されており、２０度、６０度または８５度とされる。本実施形態では、光学特性の一例である６０度光沢を測定するために、正規姿勢における角度θ１および角度θ２は、ＡＳＴＭＤ５２３の規定に基づいて所定の角度である６０度とされている。したがって、照明側光学系１０と受光側光学系２０とは、これらの光軸１３ａおよび光軸２２ａが試料表面ＳＭａの法線Ｇを対称軸とする線対称となるように、それぞれ配設されている。なお、正規姿勢の場合の角度θ１および角度θ２を正規角度という。本実施形態においては、正規角度は６０度である。
【００５４】
照明側光学系１０は、光源部１１と、照明側開口板１２と、照明レンズ１３とを備え、試料表面ＳＭａから遠い順に光源部１１、照明側開口板１２および照明レンズ１３が各光軸を光軸１３ａに揃えて配置されている。
【００５５】
光源部１１は、例えばＬＥＤなどの発光素子を備えて構成され、試料表面ＳＭａに向けて光を放射する装置である。照明側開口板１２は、光源部１１から試料表面ＳＭａに向けて放射された光を所定の開き角に規制する部材である。照明側開口板１２は、例えば、本実施形態では、光源部１１から放射され試料表面ＳＭａに照射すべき光の波長を遮光する材料で形成された板状部材であり、図２に示すように、照明側開口１２ａが照明側開口板１２を貫通するように穿設されている。この照明側開口１２ａは、画角にして、幅（図１では紙面内略上下方向）ｗが０．７５度であって、高さ（図１では紙面垂直方向）ｈが２．５度の矩形形状とされている。照明レンズ１３は、照明側開口板１２の照明側開口１２ａを通過した光を光軸１３ａに略平行な平行光束１１ａとして試料表面ＳＭａに導く光学素子である。
【００５６】
受光側光学系２０は、受光部２１と、受光レンズ２２とを備え、試料表面ＳＭａから遠い順に受光部２１および受光レンズ２２が各光軸を光軸２２ａに揃えて配置されている。受光レンズ２２は、測定試料ＳＭの試料表面ＳＭａからの反射光を集光して受光部２１の受光面に導く光学素子である。
【００５７】
受光部２１は、光エネルギーを電気エネルギーに変換する光電変換素子からなる複数の受光素子を備え、本実施形態では、各受光素子から直接的に各出力が引き出されるように構成されている。受光部２１は、光学特性を求める対象の領域よりも大きな受光面を持っている。受光部２１の各受光素子は、照明側光学系１０によって試料表面ＳＭａに照射され当該試料表面ＳＭａによって反射された反射光における光を受光することによって、受光量に応じた電気信号をそれぞれ出力する。
【００５８】
照明側光学系１０および受光側光学系２０において、照明側開口板１２における照明側開口１２ａの位置と、受光部２１における受光面の位置とは、光学的に共役な位置関係になるように受光部２１が配設される。なお、測定試料ＳＭの姿勢の変化が予め設定された所定の角度までならば、略正反射光方向の成分が受光部２１の受光面に入射されるように受光面の大きさと受光レンズ２２の焦点距離ｆとが設定される。
【００５９】
本実施形態では、受光部２１は、例えば図３に示すように、一方向に配列された７個の受光素子ｐ０〜ｐ６を備え、各受光素子ｐ０〜ｐ６から直接的に各出力が引き出されるように構成されたシリコンフォトダイオードアレイを備えて構成されている。ここで、光が照射され、照明側開口板１２の照明側開口１２ａの像が受光部２１の受光面に結像した場合に、照明側開口１２ａの幅ｗ方向と各受光素子ｐ０〜ｐ６の配列方向とが一致するように、受光部２１は、受光レンズ２２の焦点位置ｆに配設される。また、正規姿勢の場合には、前述のように角度θ２は６０度である。このとき、略正反射方向の成分２１ａの光の強度のピークは、７個の受光素子ｐ０〜ｐ６のうちｐ２に照射されるように各受光素子ｐ０〜ｐ６は配置されている。また、反射光の角度が変化した場合に、角度θ２が、５６度、５８度、６２度、６４度、６６度および６８度になった場合には、それぞれ受光素子ｐ０、ｐ１、ｐ３、ｐ４、ｐ５、およびｐ６に略正反射方向の成分２１ａの光の強度のピーク位置が来るように各受光素子ｐ０〜ｐ６は配置されている。
【００６０】
次に、光学特性測定装置１の電気的な構成について説明する。図４において、光学特性測定装置１は、光源部１１と、受光部２１と、制御部３１と、発光駆動部３２と、アナログディジタル変換部（以下、「Ａ／Ｄ変換部」と略記する。）３３と、記憶部３４と、表示部３５と、入力操作部３６とを備えて構成される。
【００６１】
光源部１１および受光部２１は、図１に示す光源部１１および受光部２１に対応する。発光駆動部３２は、制御部３１の制御に従って光源部１１に発光動作を行わせる回路である。Ａ／Ｄ変換部３３は、受光部２１のアナログ出力を、複数のビット（例えば８ビットや１０ビットなど）からなるディジタル信号に変換する回路である。Ａ／Ｄ変換部３３には、受光部２１における各受光素子からの各出力がパラレルにあるいはシリアルにそれぞれ入力される。記憶部３４は、Ａ／Ｄ変換部３３から出力されたディジタル信号を一時的に記憶する回路であり、このディジタル信号に対して制御部３１によって各種処理を行うための作業領域として用いられる。
【００６２】
表示部３５は、入力操作部３６の操作結果や、制御部３１により導出された測定試料ＳＭの例えば光沢度などの光学特性値や測定試料ＳＭの屈折率などを表示する回路であり、例えば、液晶ディスプレイや有機ＥＬディスプレイなどの表示回路を備えて構成される。入力操作部３６は、光学特性測定装置１の主電源のオンオフを切り替えるための電源ボタン回路や、光学特性の測定開始を指示する測定開始指示を入力するためのスイッチ回路などを含むものである。また、入力操作部３６は、測定試料ＳＭの屈折率を入力するための屈折率入力部としても機能することとしてもよい。すなわち、所定の屈折率を指示するためのボタン回路などを含むこととすればよい。入力操作部（屈折率入力部）３６より、測定試料ＳＭの屈折率を入力することで、正しいフレネル反射率を算出することができ、より正確な補正を行うことができる。なお、入力操作部３６とは別に屈折率入力部を設けてもかまわない。
【００６３】
制御部３１は、測定試料ＳＭの光学特性を測定すべく、上記各部を当該機能に応じてそれぞれ制御する回路である。例えば、制御部３１は、例えば制御プログラムなどを記憶する記憶素子、制御プログラムに従って動作するマイクロプロセッサおよびその周辺回路を備えたマイクロコンピュータによって構成される。記憶素子は、例えば、不揮発性のＲＯＭ（Read Only Memory）、書き換え可能な不揮発性のＥＥＰＲＯＭ（Electrically Erasable Programmable Read Only Memory）および揮発性のＲＡＭ（Random Access Memory）
などを備えて構成される。制御部３１は、機能的に、発光制御部３１ａと、受光制御部３１ｂと、光学特性演算部３１ｃと、表示制御部３１ｄとを備えている。
【００６４】
発光制御部３１ａは、発光駆動部３２の動作を制御するものであり、入力操作部３６による測定試料ＳＭの光学特性測定開始の指示が入力されると、光源部１１に所定時間の発光動作を行わせる。受光制御部３１ｂは、Ａ／Ｄ変換部３３の動作を制御するものであり、入力操作部３６による測定試料ＳＭの光学特性測定開始の指示が入力されると、光源部１１の発光タイミングに応じて受光部２１のアナログ出力をディジタル信号に変換する動作をＡ／Ｄ変換部３３に行わせる。光学特性演算部３１ｃは、Ａ／Ｄ変換部３３からのディジタル信号に基づいて測定試料ＳＭの光学特性を導出する。
【００６５】
本実施形態では、光学特性演算部３１ｃは、受光部２１の出力とフレネル反射特性に基づき測定試料ＳＭの光学特性を導出する。表示制御部３１ｄは、光学特性演算部３１ｃによって算出された光学特性値を表示部３５に表示させる。また、表示制御部３１ｄは、光学特性値だけでなく、角度ずれ量や、試料表面ＳＭａが測定基準面に対して傾いている方向などを表示部３５に表示させることとしてもよい。ここで、角度ずれ量は、試料表面ＳＭａが曲面などであった場合に、生じる試料表面ＳＭａと測定基準面とのずれ量をいい、言い換えると、正規角度（６０度）と変化後の角度θ１との差をいう。したがって、正規姿勢であれば、角度ずれ量は０である。
【００６６】
上記表示内容からユーザが測定の信頼度を判断することができる。なお、上記角度などの表示は、文字あるいはグラフなどで行うこととすれば、ユーザが理解しやすく好ましい。さらに、角度ずれ量が一定の範囲を超えた場合は、警告メッセージを表示して、ユーザに知らせることとすれば、補正の信頼度が低いことをユーザが見落としにくくなり、好ましい。なお、光学特性測定装置１は、警告メッセージと同時に警告音を鳴らすよう、警告ブザーなどを備えることとしてもよい。
【００６７】
なお、制御部３１、表示部３５および入力操作部３６は、パーソナルコンピュータ、表示装置およびキーボードなどの外部機器により構成してもよい。
【００６８】
次に、光学特性測定装置１の動作について説明する。図５は実施形態における光学特性の演算手順を説明するための図である。図５（Ａ）は受光部における各受光素子の出力値を示す図である。また、図５（Ｂ）は補正した後の各受光素子の出力値を示す図である。図５（Ａ）および図５（Ｂ）において、その横軸は受光素子ｐｎ（ｎ＝０〜６）を表し、その縦軸は受光素子ｐｎの出力値Ｐｎおよび補正後の出力値Ｒｎを示す。図５（Ｃ）は補正前および補正後の受光部の出力を基に導出された強度分布（光沢プロファイル）を示す図であり、図５（Ｄ）は強度分布で表された出力の切り出し位置を説明する図である。図５（Ｃ）および図５（Ｄ）の横軸はｘ軸であり、その縦軸は出力を表す。ｘ軸は、図１および図３に示すように各受光素子ｐ０〜ｐ６の配列方向に設定される。
【００６９】
ユーザによって測定試料ＳＭが光学特性測定装置１に配置され、入力操作部３６から測定試料ＳＭの屈折率が入力され、光学特性測定開始の指示が入力されると、制御部３１の発光制御部３１ａは、光源部１１に発光動作を行わせる。
【００７０】
光源部１１から射出された光は、照明側開口板１２の照明側開口１２ａによって所定の開き角に規制され、照明レンズ１３によって光軸１３ａに略平行な平行光束１１ａとされ、測定試料ＳＭの試料表面ＳＭａに照射される。そして、試料表面ＳＭａによって反射された反射光における略正反射方向の成分２１ａの光は、受光レンズ２２によって収束され、受光部２１で受光される。
【００７１】
制御部３１の受光制御部３１ｂは、光源部１１の発光タイミングに応じて受光部２１のアナログ出力をディジタル信号に変換する動作をＡ／Ｄ変換部３３に行わせる。本実施形態では、受光部２１は、上述したように、７個の受光素子ｐ０〜ｐ６を備えて構成されており、各受光素子ｐ０〜ｐ６のアナログ出力がＡ／Ｄ変換部３３によってディジタル信号に変換される。例えば、図５（Ａ）に示すように、受光素子ｐ０では受光出力値Ｐ０が出力され、受光素子ｐ１では受光出力値Ｐ１が出力され、受光素子ｐ２では受光出力値Ｐ２が出力され、受光素子ｐ３では受光出力値Ｐ３が出力され、受光素子ｐ４では受光出力値Ｐ４が出力され、受光素子ｐ５では受光出力値Ｐ５が出力され、そして、受光素子ｐ６では受光出力値Ｐ６が出力される。
【００７２】
制御部３１の光学特性演算部３１ｃは、フレネル反射特性を用いて各受光出力値Ｐ０〜Ｐ６を補正する。まず、本補正で用いるフレネル反射特性の逆数について、図６を用いて説明する。図６はフレネル反射特性の逆数を説明するための図である。図６（Ａ）はフレネル反射特性およびフレネル反射特性の逆数を示す図であり、図６（Ｂ）は、フレネル反射特性の逆数のカウント値を示す図である。図６（Ａ）において横軸はｘ軸であり、縦軸は反射率を表す。ただし、フレネル反射特性の逆数は、規格化された無単位の値であるので、縦軸の反射率はフレネル反射特性を示すものである。なお、ｘ軸は、図１および図３に示すように各受光素子ｐ０〜ｐ６の配列方向に設定される。また、図６（Ｂ）において横軸は受光素子ｐｎ（ｎ＝０〜６）を表し、その縦軸はフレネル反射特性の逆数の値を表す。
【００７３】
図６（Ａ）に示す、フレネル反射特性は具体的には反射率とｘとの関係を示すものである。また、フレネル反射特性の逆数とは、具体的には、各受光素子ｐ０〜ｐ６に対して、各受光素子ｐ０〜ｐ６が受光した反射光と試料表面ＳＭａの法線Ｇとのなす角度θ２によるフレネル反射率の逆数に、角度θ２が正規角度（６０度）である場合のフレネル反射率を乗じたものである。なお、角度θ２が正規角度（６０度）である場合のフレネル反射率を乗じるのは、正規角度における受光素子ｐ２における出力値を基準として、補正の前後でこの値は変化させないためである。
【００７４】
なお、フレネル反射特性の逆数を言い換えると、角度θ２が正規角度（６０度）である場合のフレネル反射率を、各受光素子ｐ０〜ｐ６が受光した反射光と試料表面ＳＭａの法線Ｇとのなす角度θ２によるフレネル反射率で除した値である。したがって、ｘ座標が、正規角度に対応する受光素子ｐ２の位置の場合は、フレネル反射特性の逆数は１となる。なお、フレネル反射特性は破線で、フレネル反射特性の逆数は実線で表されている。
【００７５】
フレネル反射特性はｘの値が大きくなるにしたがって、反射率が大きくなっていっている。しかし、フレネル反射特性の逆数はｘの値が大きくなるにしたがって、小さくなっていく。図６（Ｂ）は図６（Ａ）に示したフレネル反射特性の逆数を、対応する受光素子ｐ０〜ｐ６ごとにカウント値で表したものである。具体的には、Ｑ０は角度θ２が６０度のときのフレネル反射率を角度θ２が５６度のときのフレネル反射率で除した値であり、Ｑ１は角度θ２が６０度のときのフレネル反射率を角度θ２が５８度のときのフレネル反射率で除した値であり、Ｑ２は角度θ２が６０度のときのフレネル反射率を角度θ２が６０度のときのフレネル反射率で除した値であり、Ｑ３は角度θ２が６０度のときのフレネル反射率を角度θ２が６２度のときのフレネル反射率で除した値であり、Ｑ４は角度θ２が６０度のときのフレネル反射率を角度θ２が６４度のときのフレネル反射率で除した値であり、Ｑ５は角度θ２が６０度のときのフレネル反射率を角度θ２が６６度のときのフレネル反射率で除した値であり、Ｑ６は角度θ２が６０度のときのフレネル反射率を角度θ２が６８度のときのフレネル反射率で除した値である。
【００７６】
光学特性演算部３１ｃは、図６（Ｂ）に示されたフレネル反射特性の逆数のカウント値Ｑ０〜Ｑ６を予め、例えば、測定試料ＳＭの屈折率に応じて記憶しておくか、あるいは補間演算などにより求める。なお、測定試料ＳＭの屈折率はユーザが屈折率入力部より入力した値を用いればよい。そして、フレネル反射特性の逆数のカウント値Ｑ０〜Ｑ６をそれぞれ、各受光素子ｐ０〜ｐ６に対応する各受光出力値Ｐ１〜Ｐ６に乗じる。これによって、各受光出力値Ｐ１〜Ｐ６は補正され、それぞれ補正された各受光出力値Ｒ１〜Ｒ６が導出される。補正された各受光出力値Ｒ１〜Ｒ６は、具体的には図５（Ｂ）に示されている。
【００７７】
図５（Ａ）と図５（Ｂ）とを比較するとわかるように、補正前は受光素子ｐ４の受光出力値Ｐ４が最大出力値であったが、補正後は受光素子ｐ３の補正された受光出力値Ｒ３が最大出力値となっている。補正後には、受光素子ｐ３の位置が最大出力になっているので、反射角は６２度である。補正後のピーク位置と正規角度（６０度）との差は、２度であることから、試料表面ＳＭａと測定基準面との角度ずれ量は２度である。なお、正規角度（６０度）に対応する受光素子ｐ２の受光出力値Ｐ２と補正された受光出力値Ｒ２は等しい。
【００７８】
また、制御部３１の光学特性演算部３１ｃは、補正された受光出力値Ｒ１〜Ｒ６に基づいて、受光部２１の受光面上に設定された一方向に延びる直線、例えば図１および図３に示す上記ｘ軸に沿った反射光の受光量の分布を表す強度分布（光沢プロファイル）を求める。具体的には、光沢プロファイルは図５（Ｃ）に示されている。なお、図５（Ｃ）においては、比較のため、補正前の受光出力値Ｐ１〜Ｐ６をもとに求めた、光沢プロファイルも記載してある。具体的には、補正前の光沢プロファイルは破線で、補正後の光沢プロファイルは実線で表されている。上述したが、図５（Ｃ）に示すように、補正後と補正前では、最大出力の位置が異なっていることがわかる。さらに、最大出力の値も異なっており、補正後の方が、最大出力値が減少している。このように、上記補正により、角度ずれ量および出力値の両方が補正されている。
【００７９】
次に、光学特性演算部３１ｃは、図５（Ｄ）に示すように、この求めた光沢プロファイルのうちから、光沢計算に用いる領域である切取りエリア（切取り範囲）を決定する。切取りエリアは、具体的には、光沢プロファイルのピーク位置を中心にして、ｘ軸に沿ってプラス側およびマイナス側にＷ／２ずつ割り振った範囲Ｗとする。本実施形態では、切取りエリアの範囲Ｗは４．４度としている。上述したように、本実施形態では正規角度である所定の角度θ１、角度θ２を光沢値測定の場合の規格に合わせて６０度としており、この場合はＷが４.４度であることが規格化されているからである。なお、切取りエリアの決定は、この方法に限らず、例えば、光沢プロファイルの重心位置を中心として、ｘ軸に沿ってプラス側およびマイナス側にＷ／２ずつ割り振った範囲Ｗとしてもよい。また、一定の範囲において、光沢プロファイルを範囲Ｗについて積分していき、もっとも積分値が大きくなった箇所としてもよい。
【００８０】
切取りエリアが決定されると、光沢プロファイルのうち決定された切取りエリアの範囲内における受光強度Ｒｕを求める。受光強度Ｒｕを求めるためには、例えば、切取りエリアの範囲内における光沢プロファイルのカウント値の総和を求めればよい。なお、切取りエリアの端部にかかる部分のカウント値においては、切取りエリアの範囲に応じてカウント値を按分してもよいし、その他の補間手法を用いてもかまわない。受光強度Ｒｕが求まると、それを用いて光沢値を求める。例えば、値付けされた校正板を測定したときの受光強度をＣｓとし、校正板に値付けされた光沢値をＧｃとすると、光沢値Ｇｕは、以下に示す式（４）で表される。
【００８１】
【数４】
2009156789.tif 000006
【００８２】
このように、本実施形態の光学特性測定装置によれば、フレネル反射特性の影響を除去するよう補正をするので、より正確な光学特性の測定ができる。
【００８３】
なお、フレネル反射特性は正反射光に対して該当する原理であり、拡散光には該当しないことから、上記光沢値などの光学特性値を導出する場合には、拡散成分を除去した正反射成分のみの光沢プロファイルを用いることが望ましい。拡散成分を分離するためには、公知の方法を用いればよい。例えば、対比光沢度を求めるための公知の方法、すなわち正反射の受光光学系と同様の光学系を、試料表面ＳＭａに対して垂直方向などの拡散方向にも配置し、正反射光と拡散反射光の比を求める方法を用いればよい。
【００８４】
また、ユーザが測定試料ＳＭの屈折率を入力しない場合であっても、光学特性測定装置１は補正をせずに導出した光沢値に基づいて測定試料ＳＭの屈折率を推定して、その推定した屈折率を用いて算出したフレネル反射率を用いて補正を行うこととしてもよい。
【００８５】
図７は銀とガラスとのフレネル反射特性を示す図である。横軸は反射角度であり、縦軸は反射率である。なお、銀は金属であり、屈折率は∞（無限大）である。また、図７で示したガラスは屈折率を１．５６７とした。図７からもわかるように、ガラスと銀ではフレネル反射特性が大きく異なる。図７に示しているように、銀の反射率は反射角度にあまり依存せず、ほぼ一定値である。しかし、ガラスの反射率は、反射角度が６０度程度まではほぼ一定であるが、それ以上は反射角度が大きくなると反射率が急激に高くなる。また、ガラスと銀は光沢値においても異なる。具体的には、光沢値が１００ＧＵ以上の物質の屈折率は金属の屈折率に近く、光沢値が１００ＧＵ未満の物質の屈折率はガラスの屈折率に近い傾向にある。このことを利用して、測定試料ＳＭを屈折率が金属に近い物質またはガラスに近い物質に分類し、その分類によって測定試料ＳＭの屈折率を推定することができる。例えば、１００ＧＵを境界として、１００ＧＵ以上であれば金属とし、１００ＧＵ未満であればガラスと推定することとすればよい。
【００８６】
具体的には、まず光学特性測定装置１において、補正をせずに測定試料ＳＭの光沢値を求める。光学特性演算部３１ｃはその光沢値が１００ＧＵ以上であれば屈折率を無限大としてフレネル反射率を算出し、その値が１００ＧＵ未満であれば屈折率を１．５６７としてフレネル反射率を算出する。そして、光学特性演算部３１ｃは、算出したフレネル反射率を用いて、上述の補正を行うことでおおよそではあるが十分な補正を行うことができる。なお、上述の説明では、光沢値が１００ＧＵを基準として２つの屈折率を推定することとしたが、これ以外の光沢値を基準としてもよいし、基準の数をさらに増やして推定する屈折率の数を増やしてもかまわない。
【００８７】
なお、本発明の実施形態に係る光学特性測定装置１の受光部２１はｘ軸方向に受光素子ｐ０〜ｐ６が並んでいる構成であり、いわゆる一次元の配置としている。しかし、本発明の光学特性測定装置は、この配置に限定されるわけではなく、例えば受光素子を二次元の配置としてもよい。その場合も、一次元の配置の場合と同様に、各受光素子が光のピークとなった場合の試料表面ＳＭａの法線Ｇと反射光とのなす角度を求めることができるよう、各受光素子を配置すればよい。それにより各受光素子の出力をもとにフレネル反射率を算出し、補正を行うことができる。
【００８８】
次に、本実施形態に係る光学特性測定装置の他の一態様であって、光学特性演算部３１ｃによる補正の方法が、上述の方法とは異なる、光学特性測定装置１について説明する。なお、この補正においても、上述の実施形態に係る光学特性測定装置１と同様に、光学特性演算部３１ｃにおいてフレネル反射特性を用いて、フレネル反射特性に起因する誤差を補正する。具体的には、フレネル反射特性を加味した分布関数に受光部２１で得た出力の分布を近似した結果を用いて、補正を行う。以下、他の一態様である光学特性測定装置の光学特性演算部３１ｃの演算方法について説明する。
【００８９】
本実施形態に係る光学特性測定装置の他の一態様における、光学特性演算部３１ｃの演算手順について図８を用いて説明する。図８は、他の補正方法における光学特性の演算手順を説明するための図である。図８（Ａ）は、受光部における各受光素子の出力値を示す図であり、その横軸は、受光素子ｐｎ（ｎ＝０〜６）を表し、その縦軸は、受光素子ｐｎの出力値Ｐｎを示す。図８（Ｂ）は、受光部２１の出力を近似した分布関数Ｐ（ｘ）を示す図であり、図８（Ｃ）は、光学特性値を求めるための分布関数Ｐ´（ｘ）の積分範囲を説明するための図である。図８（Ｂ）、（Ｃ）の横軸は、ｘ軸であり、その縦軸は、分布関数の関数値Ｐ（ｘ）を表す。ｘ軸は、図１および図３に示すように各受光素子ｐ０〜ｐ６の配列方向に設定される。
【００９０】
制御部３１の光学特性演算部３１ｃは、まず、受光部２１の受光面上に設定された一方向に延びる直線、例えば図１および図３に示す上記ｘ軸に沿った反射光の受光量の分布を表す分布関数Ｐ（ｘ）を受光部２１の出力に基づいて求める。より具体的には、制御部３１の光学特性演算部３１ｃは、受光部２１の出力を一次元の分布関数Ｐ（ｘ）で近似する。
【００９１】
用いる分布関数Ｐ（ｘ）は、具体的には式（５）に表す。Ｐ（ｘ）には、フレネル反射特性が加味されている。
【００９２】
【数５】
2009156789.tif 000007
【００９３】
ここで、ｘはｘ軸上の任意の位置を表し、ａは光源部１１からの光の光束の任意の位置における微小に分解された１本の光が試料表面ＳＭａに入射し、反射した場合における、受光部２１における光沢プロファイルの中心位置を表している。ｆは受光レンズ２２の焦点距離であり、ｎ１は光源部１１からの光が測定試料ＳＭに入射する前に伝搬していた媒体、すなわち空気の屈折率であって１である。ｎ２は測定試料ＳＭの屈折率であって、例えば測定試料ＳＭがガラスであれば屈折率は１．５６７などであり、金属であれば屈折率は無限大である。ｐは試料表面ＳＭａが鏡面である場合の受光部２１におけるｘ軸に沿った像の幅である。また、θｉは正規姿勢の場合の角度θ１および角度θ２の値とすればよい。本実施形態では、上述したように６０度を用いているため、θｉは６０とすればよい。
【００９４】
ｘ０は受光部２１における受光量の分布の中心座標であり、角度ずれ量を示す。Ｎは反射光の正反射成分の幅であり、Ｌは反射光の拡散成分の発光強度であり、Ｓは反射光の正反射成分の発光強度である。Ｐ（ｘ）は、これらｘ０、Ｎ、Ｌ、Ｓが決定すると確定する。
【００９５】
したがって、光学特性演算部３１ｃは、受光部２１における各受光素子ｐ０〜ｐ６の受光出力値Ｐ０〜Ｐ６を用いて、式（５）の受光量の分布の中心座標ｘ０、反射光の正反射成分の幅Ｎ、反射光の拡散成分の発光強度Ｌおよび反射光の正反射成分の発光強度Ｓを求め、受光部２１の出力を表す分布関数Ｐ（ｘ）を求め、受光部２１の出力を近似する。より具体的には、図８（Ａ）および図８（Ｂ）に示すように、各受光素子ｐ０〜ｐ６の受光出力値Ｐ０〜Ｐ６と、各受光素子ｐ０〜ｐ６の受光領域に対応する範囲で、式（５）の分布関数Ｐ（ｘ）を積分した各積分値Ｔ０〜Ｔ６とが最も一致するように、分布関数Ｐ（ｘ）を求め、受光部２１の出力を近似する。なお、Ｔ０〜Ｔ６は、それぞれ、以下に示す式（６）により求められる。ここで、ｘｓｎ（ｎ＝０〜６）は各受光素子ｐ０〜ｐ６の中心位置であり、ｓｗａは各受光素子ｐ０〜ｐ６のｘ軸方向に沿った幅である。
【００９６】
【数６】
2009156789.tif 000008
【００９７】
さらに具体的には、各受光素子ｐ０〜ｐ６の受光出力値Ｐ０〜Ｐ６と、各受光素子ｐ０〜ｐ６の受光領域に対応する範囲で、式（６）で表されたＴ０〜Ｔ６との差の二乗和Ｄが最小となるように、未知数ｘ０、Ｎ、Ｌ、Ｓの値を決定する。なお、二乗和Ｄは、以下に示す式（７）で表される。決定された未知数ｘ０、Ｎ、Ｌ、Ｓより、分布関数Ｐ（ｘ）を確定し、受光部２１の出力を近似する。
【００９８】
【数７】
2009156789.tif 000009
【００９９】
測定試料ＳＭが低光沢材料である場合に、フレネル反射特性の影響により反射角度が増加する現象が生じるが、分布関数Ｐ（ｘ）にはフレネル反射特性が加味されていることから補正され、このときの角度ずれ量ｘ０を正しく求めることができる。
【０１００】
さらに、光学特性演算部３１ｃは確定した分布関数Ｐ（ｘ）において、角度ずれ量ｘ０には０を代入して図８（Ｃ）に示す分布関数Ｐ´（ｘ）を求める。分布関数Ｐ´（ｘ）は、角度ずれが生じず、正規姿勢であって、理想的な測定状態で光学特性を測定した場合の光沢プロファイルを表している。また、分布関数Ｐ´（ｘ）においては、フレネル反射特性の影響により、出力値が増減する現象についても、補正されている。
【０１０１】
次に、光学特性演算部３１ｃは、図８（Ｃ）に示すように、この求めた分布関数Ｐ´（ｘ）をそのｘ＝０を中心に、幅Ｗ＝４．４度に相当する範囲（−Ｗ／２〜Ｗ／２、積分区間）について積分し、積分値Ｓを求める。すなわち、光学特性演算部３１ｃは、式３によって分布関数Ｐ´（ｘ）の積分値Ｓを求める。なお、具体的には、積分値Ｓは以下に示す式（８）により表される。
【０１０２】
【数８】
2009156789.tif 000010
【０１０３】
さらに、求めた積分値Ｓから切取りエリアの範囲Ｗにおける光沢値を求める。
以上のように、実施の形態２に係る光学特性測定装置１における光学特性演算部３１ｃは、分布関数を用いた近似により、フレネル反射特性の影響による誤差を補正して、より正確な光学特性値を測定することができる。
【０１０４】
なお、フレネル反射特性を求めるために必要な測定試料ＳＭの屈折率の設定方法については、上述の方法を用いてもよいし、式（５）において、測定試料ＳＭの屈折率ｎ２も未知数としておき、上記他の未知数ｘ０、Ｎ、Ｌ、Ｓを求める際に屈折率ｎ２も決定するようにしてもよい。
【０１０５】
以上説明してきたように、本発明の実施の形態に係る光学特性測定装置１は、フレネル反射特性の影響により生じた誤差を補正して、正確な光学特性測定ができるという効果を奏する。なお、上述において、本発明の光学特性測定装置により光沢値を測定する場合を説明したが、光沢値だけでなく、ヘーズ値や表色系の値など、その他の光学特性を測定することもできる。また、同様にして、光学特性測定方法も実現でき、それにより、正確な光学特性測定ができる。
【０１０６】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【図面の簡単な説明】
【０１０７】
【図１】実施形態の光学特性測定装置における光学系の構成を示す図である。
【図２】実施形態の光学特性測定装置における開口板の構成を示す図である。
【図３】実施形態の光学特性測定装置における受光部の構成を示す図である。
【図４】実施形態の光学特性測定装置における電気的な構成を示す図である。
【図５】実施形態における光学特性の演算手順を説明するための図であって、図５（Ａ）は受光部における各受光素子の出力値を示す図であり、図５（Ｂ）は補正した後の各受光素子の出力値を示す図であり、図５（Ｃ）は補正前および補正後の受光部の出力を基に導出された強度分布（光沢プロファイル）を示す図であり、図５（Ｄ）は強度分布で表された出力の切り出し位置を説明する図である。
【図６】フレネル反射率の逆数を説明するための図であって、図６（Ａ）はフレネル反射特性およびフレネル反射特性の逆数を示す図であり、図６（Ｂ）は、フレネル反射特性の逆数のカウント値を示す図である。
【図７】銀とガラスとのフレネル反射特性を示す図である。
【図８】実施形態における光学特性の演算手順を説明するための図であって、図８（Ａ）は受光部における各受光素子の出力値を示す図であり、図８（Ｂ）は受光部２１の出力を近似した分布関数Ｐ（ｘ）を示す図であり、図８（Ｃ）は光学特性値を求めるための分布関数Ｐ´（ｘ）の積分範囲を説明するための図である。
【図９】背景技術における光学特性測定装置の光学的な構成を示す図である。
【図１０】背景技術における光学特性測定装置の補正方法を説明する図であって、図１０（Ａ）は正規姿勢での受光部に形成された像を示す図であり、図１０（Ｂ）は正規姿勢でなく傾いた状態での受光部に形成された像を示す図であり、図１０（Ｃ）は切取りエリアが像を追従している状態を示す図である。
【符号の説明】
【０１０８】
１、１００        光学特性測定装置、
１０、１１０      照明側光学系
１１、１１１      光源部
１１ａ、１１１ａ  平行光束
１２、１１２      照明側開口板
１２ａ、１１２ａ  照明側開口
１３、１１３      照明レンズ
１３ａ、１１３ａ  光軸
２０、１２０      受光側光学系
２１、１２１      受光部
２１ａ、１２１ａ  略正反射方向の成分
２２ａ、１２２ａ  光軸
２２、１２２      受光レンズ
３１              制御部
３１ａ            発光制御部
３１ｂ            受光制御部
３１ｃ            光学特性演算部
３１ｄ            表示制御部
３２              発光駆動部
３３              Ａ／Ｄ変換部
３４              記憶部
３５              表示部
３６              入力操作部
１２１ｂ          像
１３０            切取りエリア
【図１】
2009156789.tif 000011
【図２】
2009156789.tif 000012
【図３】
2009156789.tif 000013
【図４】
2009156789.tif 000014
【図５】
2009156789.tif 000015
【図６】
2009156789.tif 000016
【図７】
2009156789.tif 000017
【図８】
2009156789.tif 000018
【図９】
2009156789.tif 000019
【図１０】
2009156789.tif 000020